(57)【要約】【課題】通気性があり伸縮性に富んだ腰ベルトであって、腰部を温める効果を備えた腰痛予防・腰痛軽減ベルトを提供する。【解決手段】経糸にゴムを織り込んだ伸縮性のある織物で腰ベルト本体を構成し、腰ベルトの内周側に粉末状に砕いたトルマリンを樹脂に練り込んで断続的に付着させ、腰ベルトの中央部外周側に、使い捨てカイロなどを収納可能なポケットを少なくとも１つ装着した。腰ベルト本体を構成する伸縮性のある織物は、経糸にゴム入り糸を、緯糸にモノフィラメントを用い、周期的に経糸を欠損させることにより通気性を高め、カイロ等を収納するためのポケットは伸縮性のある布ベルトを腰ベルト本体の外周側に、布ベルトの左右の長さが数ミリメートル余裕を持つようにして、左右方向と下方向のみを逢着した。【選択図】図１
0003148987.tif 000002
【実用新案登録請求の範囲】
【請求項１】
腰に巻いて腰痛の予防または腰痛の軽減をするための伸縮性のある腰ベルトであり、ゴムを織り込んだベルト状の織物の両端部に面ファスナーを装着することにより腰回り寸法に応じて調節可能な連結手段となし、腰ベルトの内周側に粉末トルマリンを練り込んだ樹脂を断続的に付着させ、腰ベルトの長手方向のほぼ中央に袋状カイロを収納可能なポケットを少なくとも一つ装着したことを特徴とする腰ベルト。
【請求項２】
請求項１に記載した腰ベルトにおいて、腰ベルト本体を構成する伸縮性のある織物は、経糸にゴム入り糸を、緯糸にモノフィラメントを用い、周期的に経糸を欠損させることにより通気性を高めたものであり、カイロを収納するためのポケットは伸縮性のある布ベルトを前記腰ベルト本体の外周側に、布ベルトの左右の長さが数ミリメートル余裕を持つようにして、左右方向と下方向のみを逢着したことを特徴とする腰ベルト。
【考案の詳細な説明】
【技術分野】
【０００１】
本考案は、腰に巻いて腰痛の予防または腰痛の軽減をするための伸縮性のある腰ベルトに関する。
【背景技術】
【０００２】
従来、腰痛予防の目的、又は腰痛治療の目的で多くの腰用ベルトが実用化されているが、その多くは物理的な締付によるものであり、腰部を温めながら保護する腰用ベルトが普及していない。
【０００３】
腰用ベルトで温める効果があるものとして、例えば特許文献１では、薄板生ゴムを三つ折りにして、内部に突起を設けた挿入板、または保温効果をもたらす物を収納する骨盤矯正多目的ベルトが考案されている。
しかし、上記ベルトでは薄板生ゴムを使用しているので通気性が悪く、蒸れやすいという問題があり、かつ、三つ折りにした内部に例えば使い捨てカイロを入れても発熱体に酸素が供給できないので温度が上がらないという不都合がある。
【特許文献１】実開昭６−６８７３４号公報
【考案の開示】
【考案が解決しようとする課題】
【０００４】
本考案は、上記の問題を解決するためになされたものであり、通気性があり伸縮性に富んだ腰ベルトであって、腰部を温める効果を備えた腰痛予防・腰痛軽減ベルトを提供することにある。
【課題を解決するための手段】
【０００５】
経糸にゴムを織り込んだ伸縮性のある織物で腰ベルト本体を構成し、腰ベルトの内周側に粉末状に砕いたトルマリンを樹脂に練り込んで断続的に又は点状に付着させ、腰ベルトの中央（背部に相当する）外周側に、使い捨てカイロなどを収納可能なポケットを装着した。
【０００６】
腰ベルト本体を構成する伸縮性のある織物は、経糸にゴム入り糸を、緯糸にモノフィラメントを用い、周期的に経糸を欠損させることにより通気性を高め、使い捨てカイロ等を収納するためのポケットは伸縮性のある布ベルトを腰ベルト本体の外周側に、布ベルトの左右の長さが数ミリメートル余裕を持つようにして、左右と下方向のみを逢着した。
【考案の効果】
【０００７】
通気性があり伸縮性に富んだ腰ベルトであり、内周側に遠赤外線を発するトルマリンを断続的に付着させてあるので、蒸れることなく腰部を温めることができる。
さらに、必要に応じて使い捨てカイロを腰ベルトの中央近く（使用者の背面側）に設けたポケットに収納できるので、効率よく腰部を温めることができる。
【０００８】
腰ベルトは面ファスナーで連結するので腰回りのサイズに合わせて調節でき、締付力も好みに応じて調節することができる。
また、腰ベルトをストレート形状にしたので、背面に設けたポケットの位置、即ちカイロで温める位置を自分の好みに応じて調節して装着することができる。
【０００９】
使い捨てカイロ等を収納するためのポケット素材として伸縮性のある布ベルトを採用したので腰ベルト本体の伸縮性を損なうことなく、また布ベルトの左右の長さが数ミリメートル余裕を持つようにして逢着したので、カイロの出し入れが容易であり、カイロを外側から圧迫することがないので装着者に異物感を感じさせることがない。
【考案を実施するための最良の形態】
【００１０】
図１〜図３を用いて、本考案の最良の形態について説明する。
本考案による腰ベルト１は、長手方向に伸縮性のある長方形状のベルトであり、長手方向の端部近くの内周側にフック状（オス側）の面ファスナー２ａが縫い付けられ、反対の端部近くの外周側にループ状（メス側）の面ファスナー２ｂが縫い付けられている。
ループ状の面ファスナー２ｂは、ウエストサイズやベルトの締付力を調節可能なように長くしてある。
【００１１】
腰ベルト本体の組織は、図３の拡大図に示したように、ゴム入り糸の経糸とモノフィラメントの緯糸で織成した部分１０と、周期的に経糸を欠損させることにより通気性を高めた部分１１が縞状になって構成されている。
【００１２】
また、腰ベルトの内周側１ａには粉末トルマリンを練り込んだ樹脂１２を点状に付着させることにより、通気性を保ちながらトルマリンから発せられる遠赤外線が着用者に作用するようになっている。
ここでトルマリンを練り込む樹脂としては弾力性があって滑り止めにもなるシリコン樹脂が好ましい。
【００１３】
腰ベルト１のほぼ中央部の外周側１ｂに、カイロを収納するためのポケット４を少なくとの１つ逢着してある。ポケットの材料は伸縮性のある布ベルトであり、布ベルトの左右の長さが数ミリメートル余裕を持つようにして、左右と下方向のみを逢着してある。
即ち、図２に示したように、逢着する前の布ベルトの長さから逢着した後の布ベルトの長さを引いた寸法Ｌを３〜１０ｍｍ程度になるようにしたので、ベルトを伸ばした状態ではポケットの口が開きぎみになり、カイロの出し入れが容易であり、装着状態ではカイロを外周側から過度に圧迫することがないので装着者に異物感を感じさせることがない。
【００１４】
ポケットは２個装着するのが好ましく、ポケットが２個あることにより腰痛の程度と痛みを感じる場所の広さ、又は寒さに応じてカイロを１個入れるか２個入れるかを選択できる。
【図面の簡単な説明】
【００１５】
【図１】本考案による腰ベルトの正面図（内周側）
【図２】本考案による腰ベルトの平面図（上方から見た図）
【図３】図１におけるＡ部の拡大図
【符号の説明】
【００１６】
１    本考案による腰ベルト
１ａ  腰ベルトの内周側（装着者側）
１ｂ  腰ベルトの外周側
２ａ  面ファスナーのフック側
２ｂ  面ファスナーのループ側
３    ポケットの縫い付け糸
４    ポケット（伸縮性のある布ベルト）
４ａ  縫製前のポケット素材（伸縮性のある布ベルト）
１０  腰ベルト本体のゴム経糸とモノフィラメント緯糸を織成した部分
１１  ゴム経糸が無く、モノフィラメント緯糸だけで構成した部分
１２  トルマリン粉末を樹脂に練り込んで断続的に付着させた部分
Ｌ    ポケット素材の長さと縫い付け長さの差（余裕代）
【図１】
0003148987.tif 000003
【図２】
0003148987.tif 000004
【図３】
0003148987.tif 000005